(57)【要約】      （修正有）【課題】ユーザが携帯電話機をカバンやボケット等に入れていても、携帯電話機の使用不能等の不都合が生ずる前にユーザを呼び出して、それを解消させる携帯電話機を提供する。【解決手段】携帯電話機が着信時以外でユーザを呼び出す状態としてあらかじめ定めた所定状態となったことを検出する呼び出し状態検出部１１と、その呼び出し状態検出部１１が前記所定状態を検出すると、携帯電話機の呼び出し音出力部５による音声出力や音楽等とバイブレータ制御部６による振動出力との少なくとも一方によってユーザを呼び出す信号を出力する呼び出し信号出力部１２と、その呼び出し信号出力部１２がユーザを呼び出す信号を出力すると、呼び出し状態検出部１１が検出した所定状態に対応した情報を携帯電話機のアナウンス音声または画面表示によって出力する情報出力部１３とを具えてなる、携帯電話機用ユーザ呼び出しシステムである。【選択図】図１
2006332779.tif 000002
【特許請求の範囲】
【請求項１】
携帯電話機が、着信時以外でユーザを呼び出す状態としてあらかじめ定めた所定状態となったことを検出する呼び出し状態検出手段と、
前記所定状態となったことを前記呼び出し状態検出手段が検出すると、前記携帯電話機の音声出力と振動出力との少なくとも一方によってユーザを呼び出す信号を出力する呼び出し信号出力手段と、
前記呼び出し信号出力手段が前記ユーザを呼び出す信号を出力すると、前記呼び出し状態検出手段が検出した所定状態に対応した情報を前記携帯電話機のアナウンス音声と画面表示とランプ表示との少なくとも一つによって出力する情報出力手段と、
を具えてなる、携帯電話機用ユーザ呼び出しシステム。
【請求項２】
前記呼び出し状態検出手段は、前記携帯電話機内部に発生した情報または前記携帯電話機内部に蓄積された情報に基づき前記所定状態となったことを検出することを特徴とする、請求項１記載の携帯電話機用ユーザ呼び出しシステム。
【請求項３】
前記呼び出し信号出力手段は、通常の電話やＥメールの着信時の呼び出し信号と同様の音声出力と振動出力との少なくとも一方によって、前記ユーザを呼び出す信号を出力することを特徴とする、請求項１または２記載の携帯電話機用ユーザ呼び出しシステム。
【請求項４】
前記情報出力手段は、前記携帯電話機での受話と同様にして前記アナウンス音声によって前記所定状態に対応した情報を出力するか、または、前記携帯電話機での着信Ｅメールの内容表示と同様にして画面表示で前記所定状態に対応した情報を出力することを特徴とする、請求項１から３までの何れか記載の携帯電話機用ユーザ呼び出しシステム。
【請求項５】
前記呼び出し状態検出手段と前記呼び出し信号出力手段と前記情報出力手段とは、前記携帯電話機に設けられていることを特徴とする、請求項１から４までの何れか記載の携帯電話機用ユーザ呼び出しシステム。
【発明の詳細な説明】
【技術分野】
【０００１】
この発明は、携帯電話機が、着信時以外でユーザを呼び出す状態としてあらかじめ定めた所定状態となった場合に、その携帯電話機でユーザを呼び出すためのシステムに関するものである。
【背景技術】
【０００２】
従来の携帯電話機は、着信以外に、例えば電池切れ直前になるとアラーム音を出力してユーザに充電を促す機能を有している。
【発明の開示】
【発明が解決しようとする課題】
【０００３】
しかしながら、上記機能は必要最低限のものであり、そのアラーム音の出力後は電池残量が携帯電話機を使用可能な程ないため、先ず電池を充電しないと携帯電話機を使用することができない。
【０００４】
すなわち携帯電話機には、上記電池残量の減少の他、マナーモードやサイレントモードの切り忘れや、通信料金の基本料金からの超過等の、着信時以外でもユーザを呼び出して知らせることが望ましい状態があるが、携帯電話機がこれらの状態であることは、ユーザが携帯電話機を取り出してその画面やランプの表示等を確認しないと知ることができないという不都合がある。
【０００５】
また、携帯電話機には、必ずしもユーザを呼び出すことが必要とは限らないがユーザを呼び出すとユーザを和ませ得ると思われる状態もあり、かかる状態の際も携帯電話機がユーザを呼び出すことができると好ましい。
【課題を解決するための手段】
【０００６】
この発明は、上記課題を有利に解決することを目的とするものであり、この発明の携帯電話機用ユーザ呼び出しシステムは、携帯電話機が、着信時以外でユーザを呼び出す状態としてあらかじめ定めた所定状態となったことを検出する呼び出し状態検出手段と、前記所定状態となったことを前記呼び出し状態検出手段が検出すると、前記携帯電話機の音声出力と振動出力との少なくとも一方によってユーザを呼び出す信号を出力する呼び出し信号出力手段と、前記呼び出し信号出力手段が前記ユーザを呼び出す信号を出力すると、前記呼び出し状態検出手段が検出した所定状態に対応した情報を前記携帯電話機のアナウンス音声と画面表示とランプ表示との少なくとも一つによって出力する情報出力手段と、を具えてなるものである。
【発明の効果】
【０００７】
かかる携帯電話機用ユーザ呼び出しシステムにあっては、呼び出し状態検出手段が、携帯電話機がユーザに知らせることが望ましい状態やユーザを和ませ得ると思われる状態等の、ユーザを呼び出す状態としてあらかじめ定めた所定状態となったことを検出すると、呼び出し信号出力手段が、携帯電話機の音声出力（着信を示す呼び出し音やアナウンス音声や音楽等）と振動出力（バイブレータ振動）との少なくとも一方によってユーザを呼び出し、そして情報出力手段が、呼び出し状態検出手段が検出した所定状態に対応した情報を携帯電話機のアナウンス音声と画面表示とランプ表示との少なくとも一つによって出力する。
【０００８】
従って、この発明の携帯電話機用ユーザ呼び出しシステムによれば、携帯電話機が、例えば電池残量の減少や、マナーモードやサイレントモードの切り忘れや、通信料金の基本料金からの超過等の、ユーザに知らせることが望ましい状態や、通話もＥメールの通信も長期間ないため何か着信すればユーザを和ませ得ると思われる状態等の、ユーザを呼び出す状態としてあらかじめ定めた所定状態になると、携帯電話機が、音声出力と振動出力との少なくとも一方でユーザを呼び出し、その所定状態に対応した情報をアナウンス音声と画面表示とランプ表示との少なくとも一つによって出力することから、ユーザが携帯電話機をカバンやボケット等に入れていても、呼び出し信号によりユーザが携帯電話機を取り出して、ユーザを呼び出す状態としてあらかじめ定めた所定状態にあることを知るので、それによりユーザに、携帯電話機の使用不能等の不都合が生ずる前に余裕を持って、携帯電話機の電池残量不足等の所定状態を解消させることができ、あるいは通話もＥメールの通信も長期間ない場合に、ユーザに挨拶や声掛けの通話やＥメールを模した情報を提供して、ユーザを和ませて癒すことができる。
【０００９】
なお、この発明においては、前記呼び出し状態検出手段は、前記携帯電話機内部に発生した情報または前記携帯電話機内部に蓄積された情報に基づき前記所定状態となったことを検出するものでも良く、このようにすれば、例えば電池の出力電圧の所定レベルへの低下やマナーモードの設定後所定時間の経過等の携帯電話機内部に発生した情報や、記録している通話回数やメール回数が所定回数になったこと等の携帯電話機内部に蓄積された情報により、ユーザを呼び出す信号を携帯電話機で出力することができる。
【００１０】
また、この発明においては、前記呼び出し信号出力手段は、通常の電話やＥメールの着信時の呼び出し信号と同様の音声出力と振動出力との少なくとも一方によって、前記ユーザを呼び出す信号を出力するものでも良く、このようにすれば、ユーザに、通常の電話やＥメールの着信と思わせて、確実に画面表示等を確認させることができる。
【００１１】
さらに、この発明においては、前記情報出力手段は、前記携帯電話機での受話音声と同様にして前記アナウンス音声によって前記所定状態に対応した情報を出力するか、または、前記携帯電話機での着信Ｅメールの内容表示と同様にして画面表示で前記所定状態に対応した情報を出力するものでも良く、このようにすれば、ユーザは、その受話音声やＥメールと同様のアナウンス音声や内容表示により、ユーザに知らせるようにあらかじめ定めた所定状態に対応する情報を受け取って、不都合が生ずる前に携帯電話機のその所定状態を解消させたり、和まされて癒されたりすることができる。ここで、アナウンス音声は、例えば前記所定状態の複数種類の内容に応じてそれぞれ、あらかじめ音声データとして信号出力起動手段に持たせておいても良い。
【００１２】
さらに、この発明においては、前記呼び出し状態検出手段と前記呼び出し信号出力手段と前記情報出力手段とは、パケット通信等で複数の携帯電話機の状態を一括して定期的に監視するサーバ等に専用回路やプログラム（ソフトウェア）等の形態で設けられても良いが、前記携帯電話機に例えばそこにインストールされたプログラム（ソフトウェア）等の形態で設けられていても良く、このようにすれば、安価かつ確実に携帯電話機の状態を監視して、所定状態になったら呼び出し信号を出力することができる。
【発明を実施するための最良の形態】
【００１３】
以下、本発明の実施の形態を実施例によって、図面に基づき詳細に説明する。ここに、図１は、この発明の携帯電話機用ユーザ呼び出しシステムの一実施例の構成を示すブロック線図、図２は、その実施例の携帯電話機用ユーザ呼び出しシステムを設けられた携帯電話機の構成を示すブロック線図であり、図２中符号１は、この実施例の携帯電話機用注意喚起システムを設けられた携帯電話機を示す。
【００１４】
この携帯電話機１は、通常のもので、携帯電話基地局との無線通信を行う送受信部２と、その送受信部２に通話音声を低周波信号として入力するとともにその送受信部２からの低周波信号を通話音声として出力する通話音声入出力部３と、携帯電話機の電池残量等の状態や入力した通話先の電話番号等の情報を液晶画面に表示する画面表示部４と、電話やＥメールの着信時に着信を示す呼び出し音やアナウンス音声や音楽等を出力する呼び出し音出力部５と、マナーモードやサイレントモード中に着信等があるとバイブレータを起動してその着信等を知らせるバイブレータ制御部６と、それら送受信部２、通話音声入出力部３、画面表示部４、呼び出し音出力部５およびバイブレータ制御部６の作動をあらかじめ与えられたプログラムやユーザによってインストール（ユーザに依頼された業者によるインストールやダウンロードによる自動インストールを含む）されたプログラムに基づき制御する通常のマイクロコンピュータ７と、各部に電源を供給する電池８とを具えてなる。
【００１５】
そして、この実施例の携帯電話機用ユーザ呼び出しシステムは、具体的には、上記の如くしてインストールされたプログラムを実行するマイクロコンピュータ７により構成されるもので、図１に示すように、携帯電話機１が、着信時以外でユーザを呼び出す状態としてあらかじめ定めた所定状態となったことを検出する、呼び出し状態検出手段としての呼び出し状態検出部１１と、その呼び出し状態検出部１１が前記所定状態を検出すると、ユーザの着信時呼び出し方法の設定に基づき、携帯電話機１の呼び出し音出力部５による音声出力（アナウンスの声や信号音や音楽等）と、バイブレータ制御部６による振動出力との少なくとも一方によってユーザを呼び出す信号を出力する、呼び出し信号出力手段としての呼び出し信号出力部１２と、その呼び出し信号出力部１２がユーザを呼び出す信号を出力すると、呼び出し状態検出部１１が検出した所定状態に対応した情報を、ユーザの非着信時呼び出し方法の設定に基づき携帯電話機１のアナウンス音声または画面表示によって出力する、情報出力手段としての情報出力部１３とを具えてなる。
【００１６】
かかる実施例の携帯電話機用ユーザ呼び出しシステムにあっては、呼び出し状態検出部１１が、携帯電話機１の内部に発生した情報または携帯電話機１の内部に蓄積された情報に基づいて、携帯電話機１が着信時以外でユーザを呼び出す状態としてあらかじめ定めた所定状態となったことを検出すると、呼び出し信号出力部１２が、ユーザの着信時呼び出し方法の設定に基づき、通常の電話やＥメールの着信時の呼び出し信号と同様の、携帯電話機１の呼び出し音出力部５による音声出力（アナウンスの声や信号音や音楽等）と、バイブレータ制御部６による振動出力との少なくとも一方によってユーザを呼び出す信号を出力し、これによってユーザが携帯電話機１を受話状態にすると、情報出力部１３が、呼び出し状態検出部１１が検出した所定状態に対応した情報を、ユーザの非着信時呼び出し方法の設定に基づき、あらかじめ記憶した複数種類のアナウンス音声データのうちから選択して携帯電話機１の擬似受信音声として出力するか、またはあらかじめ記憶した複数種類の擬似Ｅメール受信内容表示データのうちから選択して携帯電話機１のＥメール受信内容に似せた画面表示によって出力する。
【００１７】
従って、この実施例の携帯電話機用ユーザ呼び出しシステムによれば、携帯電話機１が、例えば電池残量の減少や、マナーモードやサイレントモードの切り忘れや、通信料金の基本料金からの超過等の、ユーザに知らせることが望ましい状態や、通話もＥメールの通信も長期間ないため何か着信すればユーザを和ませ得ると思われる状態等の、ユーザを呼び出す状態としてあらかじめ定めた所定状態になると、携帯電話機１が、音声出力と振動出力との少なくとも一方でユーザを呼び出し、その所定状態に対応した情報をアナウンス音声と画面表示との一方によって出力することから、ユーザが携帯電話機１をカバンやボケット等に入れていても、呼び出し信号によりユーザが携帯電話機１を取り出して、ユーザを呼び出す状態としてあらかじめ定めた所定状態にあることを知るので、それによりユーザに、携帯電話機１の使用不能等の不都合が生ずる前に余裕を持って、携帯電話機１の電池残量不足等の所定状態を解消させることができ、また、ユーザへの通話もＥメールの通信も長期間ない場合に、ユーザに挨拶や声掛けの通話やＥメールを模した情報を送って、ユーザを和ませて癒す、いわゆる「癒し系」のシステムとすることができる。
【００１８】
しかもこの実施例の携帯電話機用ユーザ呼び出しシステムによれば、呼び出し信号出力部１２は、携帯電話機１により、通常の電話やＥメールの着信時の呼び出し信号としての音声出力（アナウンスの声や信号音や音楽等）や振動出力（バイブレータ出力）と同様の音声出力や振動出力をユーザを呼び出す信号として出力するので、ユーザに通常の電話やＥメールの着信と思わせて、確実に、ユーザを呼び出して所定状態に対応する情報を知らせることができる。
【００１９】
そしてもこの実施例の携帯電話機用ユーザ呼び出しシステムによれば、情報出力部１３は、携帯電話機１での受話音声と同様にしてアナウンス音声によって所定状態に対応した情報を出力するか、または携帯電話機１での着信Ｅメールの内容表示と同様にして画面表示で所定状態に対応した情報を出力するので、ユーザは、その受話音声やＥメールと同様のアナウンス音声や内容表示により、ユーザに知らせるようにあらかじめ定めた所定状態に対応する情報を受け取って、不都合が生ずる前に携帯電話機のその所定状態を解消させたり、和まされて癒されたりすることができる。
【００２０】
以上、図示例に基づき説明したが、この発明は上述の例に限定されるものでなく、例えば、上記所定状態を知らせる信号は、音声信号と振動信号との両方でも良く、その所定状態の内容に応じて音声信号と振動信号とを使い分けても良い。
【００２１】
また、呼び出し状態検出手段がユーザを呼び出す所定状態として検出する携帯電話機の種々の状態に応じて、情報出力手段がコール音やメッセージの声を選択して出力するので、携帯電話機内部に発生した情報に基づき、携帯電話機のカレンダー機能を用いて季節に合わせたメッセージを出力したり、携帯電話機に設けられたＧＰＳ（全地球測位システム）や温度センサや湿度センサのデータに応じて暑さや寒さ等のメッセージを出力したりするようにしても良い。
【産業上の利用可能性】
【００２２】
かくしてこの発明の携帯電話機用ユーザ呼び出しシステムによれば、携帯電話機が、例えば電池残量の減少や、マナーモードやサイレントモードの切り忘れや、通信料金の基本料金からの超過等の、ユーザに知らせることが望ましい状態や、通話もＥメールの通信も長期間ないため何か着信すればユーザを和ませ得ると思われる状態等の、ユーザを呼び出す状態としてあらかじめ定めた所定状態になると、携帯電話機が、音声出力と振動出力との少なくとも一方でユーザを呼び出し、その所定状態に対応した情報をアナウンス音声と画面表示とランプ表示との少なくとも一つによって出力することから、ユーザが携帯電話機をカバンやボケット等に入れていても、呼び出し信号によりユーザが携帯電話機を取り出して、ユーザを呼び出す状態としてあらかじめ定めた所定状態にあることを知るので、それによりユーザに、携帯電話機の使用不能等の不都合が生ずる前に余裕を持って、携帯電話機の電池残量不足等の所定状態を解消させることができ、あるいは通話もＥメールの通信も長期間ない場合に、ユーザに挨拶や声掛けの通話やＥメールを模した情報を提供して、ユーザを和ませて癒すことができる。
【図面の簡単な説明】
【００２３】
【図１】この発明の携帯電話機用ユーザ呼び出しシステムの一実施例の構成を示すブロック線図である。
【図２】上記実施例の携帯電話機用ユーザ呼び出しシステムを設けられた携帯電話機の構成を示すブロック線図である。
【符号の説明】
【００２４】
１  携帯電話機
２  送受信部
３  通話音声入出力部
４  画面表示部
５  呼び出し音出力部
６  バイブレータ制御部
７  マイクロコンピュータ
８  電池
１１  呼び出し状態検出部
１２  呼び出し信号出力部
１３  情報出力部
【図１】
2006332779.tif 000003
【図２】
2006332779.tif 000004